(57)【特許請求の範囲】
【請求項１】
フレームと該フレームの前面に取り付けられた左右１対の水平爪とから成り、前記１対の水平爪は搬送すべき鉄板を乗せるのに十分な長さを有し、前記フレームには前記水平爪に乗せて搬送する鉄板を押える押え機構を前記１対の水平爪の中間の位置に備え、前記フレームの上部に建機のアームとの着脱機構を備えるとともに、
前記フレームと前記左右１対の水平爪との取り付け部において、前記水平爪に対向してフレームから延びる庇（２２ａ、２３ａ）を設けて、それぞれの取り付け部においてコの字状の溝部を有する構造としたことを特徴とする建機用鉄板取扱い用アタッチメント。
【請求項２】
１対の水平爪がフレームに着脱可能である請求項１に記載のアタッチメント。
【請求項３】
建機との着脱機構がシャフトである請求項１又は２のいずれか１項に記載のアタッチメント。
【請求項４】
鉄板を押える押え機構が、油圧シリンダにより駆動される押えアームである請求項１〜３のいずれか１項に記載のアタッチメント。
【発明の詳細な説明】
【０００１】
【発明の属する技術分野】
本発明は、工事現場において油圧ショベル（パワーショベル）などの建設機械（建機）に着脱して安全かつ迅速に敷鉄板や資材の運搬、敷き詰めあるいは撤去を行うのに用いるアタッチメントに関する。
【０００２】
【従来の技術】
建設工事や土木工事などの現場においては、工事用車両の仮設道路を確保したり、作業の安全性を高めたり、工事関係者以外の一般利用者の通行の妨げを極力なくすために、鉄板を敷き詰めている。この鉄板はその後移動したり、工事終了後に撤去される。
【０００３】
この目的で広く用いられている鉄板は大きさが１．５ｍ×６ｍ×２２ｍｍ、重量が約１．６トンと極めて重いものであるため、通常油圧ショベルとか移動式クレーンなどの建機を使って運搬、敷き詰め、撤去の作業が行なわれる。たとえば油圧ショベルを使う場合は、鉄板をバケットで抱え込んでこれらの作業を行なったり、玉掛けワイヤーを用いて鉄板を吊り上げて作業を行なっている。
【０００４】
移動式クレーンの場合は、備え付けの専用フックで鉄板を吊り上げ、運搬、敷き詰め、撤去を行なっている。いずれの場合も作業に当たっては作業員や監視員が付いて充分な注意を払って行なっている。
【０００５】
この問題は鉄板のような敷板に限らず、工事や建設に使われる資材などについても同様である。
【０００６】
【発明が解決しようとする課題】
移動式クレーンを使っての作業は作業工程が多いため時間と費用が掛かり過ぎるという問題がある。また安全度も低いと言わざる得ない。一方、油圧ショベルを使っての作業は手軽ではあるが安全性の点から労働安全衛生規則第１６４条に違反するおそれがある。
【０００７】
本発明は上記の点にかんがみてなされたもので、従来の建機に着脱して敷鉄板や資材の運搬、敷き詰め、並べ替え、撤去が安全かつ迅速にできるようにするためのアタッチメントを提供することを目的とする。
【０００８】
【課題を解決するための手段】
本発明は、上記目的を達成するために、フレームと該フレームの前面に取り付けられた左右１対の水平爪とから成り、前記１対の水平爪は搬送すべき鉄板を乗せるのに十分な長さを有し、前記フレームには前記水平爪に乗せて搬送する鉄板を押える押え機構を前記１対の水平爪の中間の位置に備え、前記フレームの上部に建機のアームとの着脱機構を備えた建機用の鉄板取扱い用アタッチメントを構成した。
【０００９】
さらに、本発明は、フレームと左右１対の水平爪との取り付け部において、水平爪に対向してフレームから延びる庇（２２ａ、２３ａ）を設けて、それぞれの取り付け部においてコの字状の溝部を有する構造とした建機用鉄板取扱い用アタッチメントを構成した。
【００１０】
【発明の実施の形態】
以下に本発明を図面を参照して説明する。
【００１１】
図１は本発明によるアタッチメントの一実施の形態として鉄板取扱い用アタッチメントを示す斜視図である。
【００１２】
アタッチメント１は鉄製のフレーム１０の前面にＬ字形の爪２０、２１が水平に取り付けられたもので、フレーム１０は、底板１１ａ上の中央部に２枚の直立板１１ｂ、１１ｃがアタッチメントの動きの方向（縦方向とする）と平行な向きに溶接され、その２枚の直立板１１ｂ、１１ｃの対向側中央において板１１ｄにより固定されている。直立板１１ｂ、１１ｃの互いに外側面からアタッチメントの動きの方向に対して直角の方向（横方向とする）に伸びるように支持板１１ｅ、１１ｆが溶接されている。
【００１３】
２枚の直立板１１ｂ、１１ｃの上部には、水平状態で２本のシャフト１２、１３が挿し抜き可能に設けられている。シャフト１２の一端にはヘッド１２ａが設けられ、さらに取っ手１２ｂが設けられている。シャフト１３についても同様である。底板１１ａ上の前方側で２枚の直立板１１ｂ、１１ｃの間には、Ｌ字状の押えアーム１４の支点１４ａが設けられており、押えアーム１４のほぼ中央には油圧シリンダ１５のピストンアーム１５ａの一端が枢着されている。油圧シリンダ１５の他端は底板１１ａの後方側においてアーム（図示せず）で支えられている。
【００１４】
次に、爪２０、２１は同じ構造であるので爪２０について説明すると、爪２０は鉄板などの処理対象物に直接触れて力を受けるので鍛造品等の機械的強度の大きい材質で作られ、後方が垂直に立ち上がり、その垂直部２０ａの上端は後方に拡大しており、その拡大部の下面に係合溝２０ｂが形成されている。この係合溝２０ｂの溝幅は支持板１１ｆの厚みよりやや広くしてある。爪２０はその係合溝２０ｂを支持板１１ｆの上縁に係合させ、前方からホルダー２２で押さえるようにしてホルダー２２を支持板１１ｆと底板１１ａにねじ止めすることによりフレーム１０にしっかり固定される。爪２１も同じようにしてフレーム１０に固定される。ホルダー２２、２３の前面には鉄板押え用の庇２２ａ、２３ａが形成されている。
【００１５】
次に、このアタッチメント１を油圧ショベルのアーム先端に取り付ける取り付け方について図２（ａ）、（ｂ）を参照して説明する。
【００１６】
図２（ａ）に示すように、通常、油圧ショベルのアーム２の先端には２本のシャフト３１、３２によりバケット４が取り付けられているので、まず操作台からの操作によりバケット４を地上に降ろした状態でアーム２からシャフト３１、３２を抜き取り、バケット４を取り外す。
【００１７】
一方、新たに取り付けるアタッチメント１は取っ手１２ｂを掴んでシャフト１２、１３を抜き、油圧ショベルを操作してそのアーム２の先端がアタッチメント１の直立板１１ｂ、１１ｃの間に入るように位置決めし、シャフト１２、１３の孔にシャフト３１、３２の孔を合わせる。両者の孔が合ったところでアタッチメント１のシャフト１２、１３を直立板１１ｃの外側から油圧ショベルのアームのシャフト孔を貫いて通し、もう一方の直立板１１ｂから出たシャフトの反対端に抜け止めピンを挿す。こうして図２（ｂ）に示すようにアタッチメント１が油圧ショベルのアーム先端に取り付けられる。
【００１８】
その後は油圧ショベルの操作台からアームを操作することにより鉄板の運搬、敷き詰め、撤去の作業を行なうことができる。
【００１９】
図３は作業時における鉄板の取り扱い状態を示している。
【００２０】
いずれの作業においても、油圧ショベルの操作台からの操作によりアームの動きを操作することにより爪２０、２１を自由に操り、鉄板４０を爪２０、２１上の奥まで入れて乗せる。鉄板４０が爪２０、２１の奥まで入ったのを確認した後所定の操作をすると、図４に示すように、アタッチメント１の油圧シリンダ１５が動作し、押えアーム１４が支点１４ａを中心に回動し、図３に示すように押えアーム１４の先端が鉄板４０の上面に当たり鉄板４０を押える。
【００２１】
一方、鉄板４０の後端（アタッチメント側の）部は爪２０、２１とホルダー２２に設けられた庇２２ａとの間に奥まで入り込んでいるので、上下の動きが押えられる。そのため鉄板４０は運搬中に前後、左右にずれたり、上下に動いたりすることがほとんどなく、作業員や現場にいる人にとって極めて安全である。
【００２２】
アタッチメント１は油圧ショベルのバケットと同様に操作台からの操作により前後、左右、上下などあらゆる動きができるので、鉄板の運搬、敷き詰め、撤去に当たり、これまでの油圧ショベルのバケットを使っての作業や移動式クレーンによる吊りリングや吊りチェーンを使っての作業に比べてはるかに細かな作業を安全にこなすことができる。鉄板などの敷板だけでなく、建築資材、土木資材その他の物資の運搬、並べ替え等も可能である。
【００２３】
上記実施の形態においては、爪はフレームに着脱可能としたが、フレームに固定してもよい。また、油圧ショベルのバケットを取り外してアタッチメントを取り付ける例について説明したが、バケットにソケットまたはアダプタを被せ、バケットを取り外さずにアタッチメントを取り付けることも可能である。
【００２４】
また本発明のアタッチメントは特定の建機にだけ取り付け可能ではなく、全メーカーの建機（たとえば油圧ショベル）に取り付けられるように設計することができる。本発明のアタッチメントは実施の形態での説明とは違って反転して建機に取り付けることにより敷鉄板専用でなく、汎用の荷揚げ装置として利用することもできる。
【００２５】
【発明の効果】
爪を備えたアタッチメントを建機のアームに着脱可能にしたことにより、建機を間に合わせ的に使っていた従来の鉄板の運搬、敷き詰め、撤去作業に比べてきめ細かな動きで、安全かつ迅速な作業が可能になる。また本発明によるアタッチメントを用いることにより建機の用途外使用を禁止している労働安全衛生規則１６４条違反の問題もクリアすることができる。本発明によるアタッチメントは鉄板などの敷板の取り扱いだけでなく、建設資材や土木資材あるいは物資の運搬、並び替え、移動、撤去などの同様な作業にも利用することができる。
【図面の簡単な説明】
【図１】本発明による鉄板取扱い用アタッチメントの斜視図である。
【図２】（ａ）は従来の油圧ショベル、（ｂ）は図１に示した鉄板取扱い用アタッチメントヲ油圧ショベルに取り付ける取り付け方を説明する図である。
【図３】本発明によるアタッチメントを用いての作業での鉄板の取り扱い状態を示す。
【図４】鉄板を押える機構を示す概略線図である。
【符号の説明】
１    アタッチメント
１０    フレーム
１１ａ    底板
１１ｂ、１１ｃ    直立板
１１ｅ、１１ｆ    支持板
１２、１３    シャフト
１４    押えアーム
１５    油圧シリンダ
２０、２１    爪
２２、２３    ホルダー
３１、３２    シャフト
４０    鉄板
【図１】
0003610324.tif 000002
【図２】
0003610324.tif 000003
【図３】
0003610324.tif 000004
【図４】
0003610324.tif 000005